(57)【特許請求の範囲】
【請求項１】
矩形板状の台座部と、該台座部の一方の端部より下方に延びた脚部と、該脚部の下端より前記台座部の下方がわに延びた挟持片とを有した挟持部材を一対備え、該挟持部材どうしを突き合わせ、締付カバーを被せて固定することで、折板屋根の頂部より突出した突出部を前記挟持片どうしで挟持する構成とした屋根上取付具であって、
前記締付カバーは、突き合わせ状態にある前記台座部の上方に重合する基板部と、該基板部の両端のそれぞれから下方に延びた押圧係止部とを備えた構成とされており、
前記挟持部材は、前記脚部の側端より側方に突出した突出片を備えている一方、前記押圧係止部は、前記挟持部材どうしの突き合わせにより形成された両開口のそれぞれを塞ぐように垂下した垂下片を有し、該垂下片の下端に、両挟持部材の突出片を外方より挟み込んで押圧し、かつ鋸刃爪により前記突出片に係止される一対の押圧係止片が形成されていることを特徴とする屋根上取付具。
【請求項２】
請求項１において、
前記挟持部材のそれぞれが相互に係合して横ずれを防止する係合部を有していることを特徴とする屋根上取付具。
【発明の詳細な説明】
【技術分野】
【０００１】
本発明は、折板屋根の頂部より突出した突出部を挟持片どうしで挟持して、その突出部に固定されるようになっている屋根上取付具に関する。
【背景技術】
【０００２】
この種の屋根上物品取付具として、たとえば特許文献１に示してあるような、一対の挟持部材を組み合わせてなるものがある。この文献のものは、台座部どうしを交差重合し、それらをボルト、ナットで固定することで、挟持片どうしが折板屋根の突出部を両側より挟持する構成となっている。
【０００３】
また、ボルト、ナットを用いて挟持部材を固定できるものとして、両脚部を直接、ボルト、ナットで緊締するようにした屋根上取付具も種々提案されている（たとえば、特許文献２参照）。
【先行技術文献】
【特許文献】
【０００４】
【特許文献１】特開２０１１−４７１４４号公報
【特許文献２】特開２０１１−１１１７４５号公報
【発明の概要】
【発明が解決しようとする課題】
【０００５】
しかしながら、上記のものはボルト、ナットによる挟持部材の締付作業が必要であるため、屋根上での作業に時間を要する。
【０００６】
特許文献１のものは、台座部の中心を支点として挟持片が挟み動作をなすように挟持部材を合体し、重合状態にある台座部の支点を上下よりボルトで締め付けて挟持片を近づける構造となっている。つまり、台座部どうしの締め付けにより交差状態の台座部間の隙間をなくし固定することで、挟持片を相互に近づける構造となっている。このような構造であるため、製造誤差がある場合や、突出部を構成するハゼ部の厚みが想定したものよりも薄い場合に、挟持片どうしで突出部を十分に挟持できなくなる可能性がある。
【０００７】
また特許文献２のものでは、金属などの剛性の高い挟持部材の脚部を緊締する取付構造であるため、つまり挟持片間を直接的に近づけるように緊締操作をする必要のある構造であるため、特許文献１の台座部のボルト止めにくらべ大きな力が必要とされ、作業に長時間を要する可能性がある。
【０００８】
本発明は、このような事情を考慮して提案されたもので、その目的は、挟持部材および締付カバーの屋根への取り付けを簡単にでき、かつ強固に固定できる屋根上取付具を提供することにある。
【課題を解決するための手段】
【０００９】
上記目的を達成するために、請求項１に記載の屋根上取付具は、矩形板状の台座部と、台座部の一方の端部より下方に延びた脚部と、脚部の下端より台座部の下方がわに延びた挟持片とを有した挟持部材を一対備え、挟持部材どうしを突き合わせ、締付カバーを被せて固定することで、折板屋根の頂部より突出した突出部を挟持片どうしで挟持する構成とした屋根上取付具であって、締付カバーは、突き合わせ状態にある台座部の上方に重合する基板部と、基板部の両端のそれぞれから下方に延びた押圧係止部とを備えた構成とされており、挟持部材は、脚部の側端より側方に突出した突出片を備えている一方、押圧係止部は、挟持部材どうしの突き合わせにより形成された両開口のそれぞれを塞ぐように垂下した垂下片を有し、垂下片の下端に、両挟持部材の突出片を外方より挟み込んで押圧し、かつ鋸刃爪により突出片に係止される一対の押圧係止片が形成されていることを特徴とする。
【００１０】
請求項２に記載の屋根上取付具は、挟持部材のそれぞれが相互に係合して横ずれを防止する係合部を有していることを特徴とする。
【発明の効果】
【００１１】
請求項１に記載の屋根上取付具によれば、上述の構成となっているため、ボルト、ナットによる締付作業の必要がなく、そのため挟持部材の屋根への取り付けを簡単に行える。また、締付カバーによって挟持部材を屋根の突出部に強固に固定することができる。
【００１２】
請求項２に記載の屋根上取付具によれば、上述の構成となっているため、挟持部材間の横ずれを防止できる。特に、取付作業中のずれを防止できるため、取付作業を効率的にかつ迅速に行うことができる。
【図面の簡単な説明】
【００１３】
【図１】本発明の一実施形態に係る屋根上取付具の概略分解斜視図である。
【図２】屋根上取付具の設置手順（１／３）を示す正面図である。
【図３】屋根上取付具の設置手順（２／３）を示す正面図である。
【図４】（ａ）は屋根上取付具の設置手順（３／３）（設置された状態）を示す正面図、（ｂ）は（ａ）のＹ部の拡大正面図、（ｃ）は（ａ）の白抜き矢印方向から見た拡大側面図である。
【図５】屋根上取付具の係合部を示す部分斜視図であり、（ａ）は図１に示した屋根上取付具に関するもの、（ｂ）は他の屋根上取付具に関するものである。
【図６】（ａ）は本発明の他の実施形態に係る屋根上取付具の設置状態を示す正面図であり、（ｂ）は要部の拡大平面図である。
【発明を実施するための形態】
【００１４】
以下に、本発明の実施の形態について、添付図面をもとに説明する。まず、以下の全実施形態に共通する基本構成について説明する。
【００１５】
以下に説明する屋根上取付具１は、矩形板状の台座部１１と、台座部１１の一方の辺縁より下方に延びた脚部１３と、脚部１３の下端より台座部１１の下方がわに延びた挟持片１４とを有した挟持部材１０、１０を一対備え、挟持部材１０、１０どうしを突き合わせ、締付カバー２０を被せて固定することで、折板屋根４０の頂部４２より突出した突出部４５、４７ａを挟持片どうしで挟持する構成とした屋根上取付具である（図１および図６参照）。
【００１６】
締付カバー２０は、突き合わせ状態にある台座部１１、１１の上方に重合する基板部２１と、基板部２１の両端のそれぞれから下方に延びた押圧係止部２２、２２とを備えた構成とされている。
【００１７】
また、挟持部材１０は、脚部１３の側端より側方に突出した突出片１５、１５を備えている一方、押圧係止部２２、２２は、挟持部材１０、１０どうしの突き合わせにより形成された両開口１６、１６のそれぞれを塞ぐように垂下した垂下片２２ａ、２２ａを有している。この垂下片２２ａの下端には、両挟持部材１０、１０の突出片１５、１５を外方より挟み込んで押圧し、かつ鋸刃爪２２ｃ、２２ｃにより突出片１５、１５に係止される一対の押圧係止片２２ｂ、２２ｂが形成されている。
【００１８】
屋根上取付具１はこのような構成となっているため、締付カバー２０を挟持部材１０、１０に被せることで挟持片１４、１４どうしを近づけるように押圧して、挟持部材１０、１０および締付カバー２０を屋根上の突出部に固定することができる。したがって、ボルト、ナットによる締付作業の必要がなく、屋根上取付具１の屋根への取り付けを簡単に行うことができる。また、押圧係止片２２ｂに鋸刃爪２２ｃが形成されているため、鋸刃爪２２ｃ、２２ｃが突出片１５、１５に係止される。このような両側での係止により、締付カバー２０は挟持部材１０に一体化される。そのため、外れるおそれはなく、挟持部材１０の屋根への強固な固定を維持することができる。
【００１９】
ついで、各実施形態について説明する。まず、図１〜図４に示した実施形態に係る屋根上取付具１について説明する。
【００２０】
この屋根上取付具１は、図２〜図４に示したように、折板屋根４０の上に取り付けられる。
【００２１】
この折板屋根４０は、山部４１と谷部４３とが交互に連続する屋根であって、複数の屋根材を山部４１の頂部４２においてハゼ連結してなる屋根である。なお、４９は折板屋根４０の形状を下方より保持する保持部材である。
【００２２】
屋根上取付具１は、折板屋根４０の頂部４２の上方に突出したハゼ部４５よりなる突出部に取り付け固定されるようになっている。ついで、屋根上取付具１の各部について図１を参照しながら説明する。なお、図１は屋根上取付具１を概略的に示した分解斜視図であり、各部材の厚みの図示は省略してある。
【００２３】
屋根上取付具１は、上述したように、主たる構成部材として一対の挟持部材１０、１０と、締付カバー２０とを備え、それらは相互に固定され、折板屋根４０の上に固定されるようになっている。
【００２４】
本実施形態のものは、一対の挟持部材１０、１０が類似（概ね同一）形状とされ、挟持部材１０、１０のそれぞれは、平面視で矩形状の台座部１１と、その一方の端部（１辺縁部）より下方に延びた脚部１３と、脚部１３の下端より台座部１１とほぼ平行に、台座部１１の下方側に延びた挟持片１４とを備えている。
【００２５】
台座部１１は、突き合わせて１つの平坦な台座を形成できるようになっている。一方の挟持部材１０（図１中の左がわ）の台座部１１には、先端で折曲された突き合わせ部１１ａの中央より相手がわの挟持部材１０へ突出した係合突片１２ａが形成されている。この係合突片１２ａは相手の挟持部材１０（図１中の右がわ）の脚部１３と係合する。なお、係合突片１２ａを有した挟持部材１０の突き合わせ部１１ａは下方に折曲されているが、他方の挟持部材１０の突き合わせ部１１ａは、台座部１１の先端の側端面で構成されている。
【００２６】
脚部１３はやや外側に開くように下方に延びている（図１参照）。係合突片１２ａを有していない挟持部材１０（図１中の右がわ）の脚部１３の上部には、係合突片１２ａと係合する係合孔１２ｂが形成されている。つまり、係合突片１２ａおよび係合孔１２ｂは、挟持部材１０、１０どうしが合体するための、それぞれの挟持部材１０、１０における係合部を構成する。図５（ａ）には、本実施形態の係合部の形状が部分斜視図で示してある。
【００２７】
このような係合部を有した挟持部材１０、１０によれば、挟持部材１０、１０を締付カバー２０とともに屋根上に固定する作業において、また屋根上への固定後において、挟持部材１０、１０相互の横ずれを防止することができる。
【００２８】
また、脚部１３の中央部には、脚部１３の側端のそれぞれより遠ざかるように突出した突出片１５、１５を備えている。この突出片１５、１５の詳細については、図４（ａ）〜（ｃ）の説明とともに後述する。
【００２９】
また、挟持片１４は、台座部１１の下方において、台座部１１の中ほどの下方位置まで延びており、その先端には上方に突出した挟持突片１４ａが形成されている（図１参照）。
【００３０】
このような構造の挟持部材１０、１０を、台座部１１、１１を突き合わせて組み合わせることで挟持具Ａが構成される。より具体的には、挟持具Ａは、一組の挟持部材１０、１０を突き合わせ係合部どうしを係合することで合体される。なお、図例に示した一対の挟持部材１０、１０は係合部を除き同一形状であるが、異なる形状であってもよい。
【００３１】
一方、締付カバー２０は、図１に示すように、合体状態にある台座部１１、１１を覆い隠す基板部２１と、その基板部２１の対向する２辺縁より下方に延びた門形の押圧係止部２２、２２とを備えている。両押圧係止部２２、２２は、図１に示すように、挟持具Ａの相互に貫通した両開口１６、１６のそれぞれを塞ぐように、対応した辺縁に垂下形成されており、垂下基部である垂下片２２ａと、垂下片２２ａの両端より下方に延びた一対の押圧係止片２２ｂ、２２ｂとよりなる。
【００３２】
押圧係止片２２ｂ、２２ｂは正面視で傾斜した形状とされ、両押圧係止片２２ｂ、２２ｂによってできた開口の形状は等脚台形をなしている。この押圧係止片２２ｂ、２２ｂの傾斜は挟持部材１０、１０の脚部１３、１３の傾斜と概ね合致している。また、押圧係止片２２ｂ、２２ｂの向かい合う内側辺縁には複数の上向き爪よりなる鋸刃爪２２ｃ、２２ｃが形成されている。
【００３３】
このような屋根上取付具１は、図２〜図４に図示した手順で屋根上のハゼ部４５に取付固定される。
【００３４】
まず、図２に示すように、挟持部材１０、１０がハゼ部４５を挟むように両側に載置され、係合部どうしが係合するように突き合わせられることで、挟持具Ａが組み立てられる。
【００３５】
両挟持部材１０、１０どうしを係合突片１２ａと係合孔１２ｂが係合するようにハゼ部４５を挟んで両部材が近づくようにスライドしていくと、挟持片１４、１４どうしも近づき、台座部１１、１１の突き合わせ部１１ａ、１１ａが当接し合った状態になると、挟持片１４、１４の先端の挟持突片１４ａ、１４ａがハゼ部４５の両側面に近接あるいは接触する。
【００３６】
ついで、図３に示すように、合体された挟持具Ａの真上より、締付カバー２０を、突き合わせた両台座部１１、１１の上に基板部２１を重合させるように被せる。その被せ操作において、締付カバー２０の押圧係止片２２ｂ、２２ｂは、突出片１５、１５の外がわを上方から下方へスライドするように移動する。
【００３７】
基板部２１が台座部１１、１１の上面に接触するように重なると、図４（ａ）（ｂ）に示すように、両押圧係止片２２ｂ、２２ｂは両突出片１５、１５を外がわより挟み込んで押圧するように嵌まり込む。それと同時に、突出片１５、１５の下端には鋸刃爪２２ｃ、２２ｃの１つの爪が係止される。つまり、締付カバー２０は、両開口１６、１６がわのそれぞれにおいて押圧係止部２２が両突出片１５、１５に外嵌（圧嵌）し、さらに鋸刃爪２２ｃ、２２ｃが突出片１５、１５に係止することで、挟持具Ａに組み付け固定される。
【００３８】
このように鋸刃爪２２ｃ、２２ｃの爪が突出片１５、１５と係止されることにより、締付カバー２０と挟持部材１０、１０とは合体するが、さらにしっかりと両部材を固定するために、図４（ｃ）に示すように、突出片１５の外がわ面には、突出片１５と向かい合う爪が係合する係合穴１５ａ、１５ａ（または係合孔）を設けることが望ましい。
【００３９】
こうして、この締付カバー２０の挟持具Ａへの外嵌によって、挟持部材１０、１０の脚部１３、１３が締め付けられ、挟持片１４、１４がハゼ部４５を挟持することとなり、合体された３部材は屋根上に取付固定される。
【００４０】
また、締付カバー２０を挟持具Ａにしっかりと被せようとすると、脚部１３の弾性変形に抗うように挟持部材１０、１０の突き合わせ部１１ａ、１１ａ間が離反するおそれがあるので、突き合わせ部１１ａ、１１ａ間を相互に離反しないように固定するか、あるいは係合突片１２ａが係合孔１２ｂから抜けないように固定することが望ましい。または、突出片１５、１５の上下方向の寸法を大きくし、押圧係止片２２ｂ、２２ｂが上下方向に長い範囲で押圧する構成に挟持部材１０、１０の上部が離反しないようにしてもよい。
【００４１】
こうして、相互に固定された状態の挟持部材１０、１０と締付カバー２０の３部材（屋根上取付具１）は、屋根上での固定状態が維持され得る。
【００４２】
また、締付カバー２０を取り付けることで、挟持片１４、１４がハゼ部４５の側面を強力に押圧できるように、押圧係止片２２ｂ、２２ｂ間寸法と突出片１５、１５間寸法を適切な関係にする必要があることは言うまでもないが、押圧係止片２２ｂ、２２ｂの押圧によっても挟持片１４、１４がハゼ部４５を挟持できない場合には、押圧係止片２２ｂと突出片１５との間にスペーサを挟むようにしてもよい。
【００４３】
こうして屋根上に組み付けられた屋根上取付具１には、種々の屋根上物品を取り付けることができる。特に本屋根上取付具１は締付カバー２０の基板部２１が平坦となっているため、遮熱シート（不図示）などを取り付けるためのレール（不図示）の取り付けがしやすい。レールの取り付け用の上向きボルトはあらかじめ、締付カバー２０の適所、たとえば台座部１１に重なっていない部位（図１に符号Ｘで示した部位など）に形成しておいてもよい。
【００４４】
このように、屋根上取付具１は締付カバー２０を被せるだけで挟持部材１０、１０を締付固定できる構成となっているため、屋根上取付具１をハゼ部４５に簡易に取り付けることができる。また、ボルト、ナットの締付作業を必要としないため、作業を迅速に行うことができる。また、工具を必要としないので屋根上の作業が楽である。
【００４５】
特に本実施形態のものは、締付カバー２０の押圧係止部２２、２２の門形が下方に向けて開いた傾斜形状となっているため、締付カバー２０を挟持具Ａの真上から移動させるだけでスムーズに押圧係止片２２ｂ、２２ｂで突出片１５、１５を内向きに挟持、押圧することができる。
【００４６】
また、上述したように、挟持部材１０、１０のそれぞれは相互に係合する係合部を備えているため、挟持部材１０、１０間の合体度を向上させることができる。特に作業中の横ずれを防止することができ、効率的な取付作業を行える。
【００４７】
係合部は、図５（ｂ）に示したもので構成してもよい。すなわち、各挟持部材１０、１０の係合部として、台座部１１、１１の突き合わせ部１１ａ、１１ａの各々に、相互に係合し得る係合凸部１２ｃと係合凹部１２ｄの両方を横並びに設けて、挟持部材１０、１０を対向させて、係合凸部１２ｃ、係合凹部１２ｄが相手の係合凹部１２ｄ、係合凸部１２ｃと雌雄嵌合するような構成としてもよい。
【００４８】
また、突き合わせ部１１ａにおいて横並びに設けた係合凸部１２ｃと係合凹部１２ｄの間には、両挟持部材１０、１０の突き合わせにより角孔が形成されるような凹み１１ｂが形成されている。両凹み１１ｂ、１１ｂによって形成される角孔には、裏側より屋根上物品固定用の上向きボルトを通すことができる。
【００４９】
係合部をこのような形状にすれば、両挟持部材１０、１０を同一形状とすることができ、屋根上取付具１の構成部材点数を少なくでき、部材管理を簡易化することができる。
【００５０】
ついで、折板屋根４０の頂部４２より突出したボルト体４７に取り付ける屋根上取付具１について、図６をもとに説明する。
【００５１】
この折板屋根４０は、隣接する両屋根材を山部４１で重ね、ボルト体４７で連結固定した重ね式の連設構造となっている。山部４１の頂部４２にはボルト体４７の軸部４７ａが突出し、そのボルト体４７が座金付きナット４８で固定してある。
【００５２】
屋根上取付具１は、このようなボルト体４７の軸部４７ａで構成された突出部に対応した構造となっている。具体的には、挟持部材１０の挟持片１４の形状が図１のものとは異なる形状となっている。なお、挟持部材１０の挟持片１４以外の部位および締付カバー２０については図１のものと同形状、同構造であるため、それらの形状、構造については説明を割愛する。また、この屋根上取付具１の取り付け手順についても図１のものと概ね同様であるため、折板屋根４０に取り付けられた状態のみを図示し、取り付け手順の図示および説明は割愛する。
【００５３】
挟持部材１０の挟持片１４は、先端に向けてやや上方に傾斜している。これは、挟持片１４、１４が座金付きナット４８との接触を回避し、確実にボルト体４７の軸部４７ａを挟持できるようにするためである。
【００５４】
挟持片１４の先端の中央には、ボルト体４７の軸部４７ａを係止するための係止凹部１４ｂが形成されている。係止凹部１４ｂの底部には、やや上方に切り起こされた係止爪１４ｃが形成されている。屋根上取付具１は、締付カバー２０の取り付けによって、両挟持片１４、１４の両係止凹部１４ｂ、１４ｂがボルト体４７の軸部４７ａを挟持するとともに、係止爪１４ｃ、１４ｃが軸部４７ａのねじ溝に係止することで、ボルト体４７に固定されるようになっている。なお、ボルト体４７の軸部４７ａに対する固定構造は、係止凹部１４ｂによるものには限られず、種々の構造を採用することができる。
【符号の説明】
【００５５】
１          屋根上取付具
Ａ          挟持具
１０        挟持部材
１１        台座部
１１ａ      突き合わせ部
１２ａ      係合突片（係合部）
１２ｂ      係合孔（係合部）
１２ｃ      係合凸部（係合部）
１２ｄ      係合凹部（係合部）
１３        脚部
１４        挟持片
１４ａ      挟持突片
１４ｂ      係止凹部
１４ｃ      係止爪
１５        突出片
１６        開口
２０        締付カバー
２１        基板部
２２        押圧係止部
２２ａ      垂下片
２２ｂ      押圧係止片
２２ｃ      鋸刃爪
４０        折板屋根
４１        山部
４２        頂部
４３        谷部
４５        ハゼ部（突出部）
４７        ボルト体
４７ａ      軸部（突出部）
【要約】
【課題】挟持部材および締付カバーの屋根への取り付けを簡単にでき、かつ強固に固定できる屋根上取付具を提供する。
【解決手段】締付カバー２０は、突き合わせ状態にある台座部１１、１１の上方に重合する基板部２１と、基板部２１の両端のそれぞれから下方に延びた押圧係止部２２、２２とを備えた構成とされている。挟持部材１０は、脚部１３の側端より側方に突出した突出片１５、１５を備えている一方、押圧係止部２２は、挟持部材１０、１０どうしの突き合わせにより形成された両開口１６、１６のそれぞれを塞ぐように垂下した垂下片２２ａ、２２ａを有している。垂下片２２ａの下端に、両挟持部材１０、１０の突出片１５、１５を外方より挟み込んで押圧し、かつ鋸刃爪２２ｃ、２２ｃにより突出片１５、１５に係止される一対の押圧係止片２２ｂ、２２ｂが形成されている。
【選択図】図１【図１】
0005895084.tif 000002
【図２】
0005895084.tif 000003
【図３】
0005895084.tif 000004
【図４】
0005895084.tif 000005
【図５】
0005895084.tif 000006
【図６】
0005895084.tif 000007